(57)【要約】      （修正有）【課題】保持器に２つの循環ケーシング管を効率よく同時に位置決めさせることが可能な構成としたリニアガイド及びその保持器を提供する。【解決手段】リニアガイドの保持器は、位置制限部材４１と突き当て部材４２とを含む。位置制限部材４１は、取付溝４１１１が形成されている基部４１１と、当該基部から一体的に延在され、それぞれ位置制限孔４１２１が形成されている２つの側翼部４１２とを含む。２つの位置制限孔４１２１のうち、一方の位置制限孔４１２１は、取付溝４１１１に比べて一側に向かってずれるように設けられ、他方の位置制限孔４１２１は、取付溝４１１１に比べて反対側の他側に向かってずれるように設けられる。突き当て部材４２は、一側の部位で前記基部の取付溝４１１１に嵌合される。これにより、リニアガイドにおける交差すると共に交錯配列する循環モジュールを効率よく位置決めすることが可能な保持器４を構成する。【選択図】図５
0003188146.tif 000002
【実用新案登録請求の範囲】
【請求項１】
対向する両側にそれぞれ転動溝が形成されているガイドレールと、
前記ガイドレール上にスライド可能に被せられる組合せ溝が凹設され、前記組合せ溝の対向する両側部位のそれぞれに、貫通する２つの収容通路が形成されているスライダーと、
前記スライダーの対向する両側部位にそれぞれ装着される２つの循環モジュールであって、隣接する前記２つの収容通路内に穿設されると共に、それぞれ少なくとも一部が前記スライダーの外に突出する２つの循環ケーシング管と、それぞれ前記２つの循環ケーシング管内に装着されると共に、前記２つの循環ケーシング管以外の部位に位置する部分が前記ガイドレールと前記スライダーとの間に転動可能に挟まれる２つの転動ユニットと、をそれぞれ含む２つの循環モジュールと、
それぞれ前記ガイドレールの対向する両側に位置すると共に前記スライダーに設けられ、それぞれが前記２つの循環モジュールにおける前記ガイドレールに対する位置を位置決めすると共に保持する２つの保持器であって、基部、及び前記基部から一体的に延在されそれぞれ位置制限孔が形成されている２つの側翼部を含み、位置決めされる前記循環モジュールにおいて、前記２つの循環ケーシング管が前記２つの側翼部の前記位置制限孔に位置決めされ、前記２つの転動ユニットが前記２つの循環ケーシング管以外の部位に位置する部分がそれぞれ前記２つの側翼部の前記位置制限孔に転動可能に穿設される位置制限部材と、対向する両側部位がそれぞれ前記位置制限部材の前記基部及び前記スライダーに嵌合される突き当て部材と、をそれぞれ含む２つの保持器と、
それぞれ前記スライダーに装着されると共に前記ガイドレール上にスライド可能に被せられ、前記２つの循環モジュールにおける前記スライダーの外に突出した前記循環ケーシング管の部位を覆う２つのエンドキャップモジュールと、
を含むことを特徴とするリニアガイド。
【請求項２】
前記組合せ溝の対向する２つの内側縁にはそれぞれ位置決め溝が形成され、
各前記位置制限部材の前記基部には取付溝が形成され、
各前記突き当て部材は、嵌合柱を含むと共に、前記嵌合柱の対向する両側部位によって、対応する前記組合せ溝の前記位置決め溝及び前記位置制限部材の前記取付溝に嵌合されることを特徴とする請求項１に記載のリニアガイド。
【請求項３】
各前記循環モジュールの前記２つの循環ケーシング管は、交差すると共に交錯配列するように前記スライダーに装着され、
各前記位置制限部材の２つの前記位置制限孔によって、それぞれ対応する前記循環モジュールにおける交差すると共に交錯配列する前記２つの循環ケーシング管が位置決めされるように、各前記位置制限部材において、２つの前記位置制限孔のうち、一方の前記位置制限孔が、前記取付溝に比べて一側に向かってずれるように設けられ、他方の前記位置制限孔が、前記取付溝に比べて反対側の他側に向かってずれるように設けられることを特徴とする請求項２に記載のリニアガイド。
【請求項４】
各前記転動溝は、２つの荷重側壁を有し、
前記組合せ溝の内側縁には、前記転動溝に対応して前記２つの荷重側壁と向かい合う２つの搭載壁が形成され、
各前記転動ユニットにおける各前記転動ユニットが収容される前記循環ケーシング管以外に位置する部位は、前記ガイドレールの前記荷重側壁と前記スライダーの前記搭載壁との間に転動可能に挟まれ、
各前記転動溝に対応する前記２つの搭載壁の垂直二等分線は、ほぼ垂直に交わり、
各前記搭載壁の垂直二等分線は、対応する前記収容通路のほぼ中心を通過することを特徴とする請求項３に記載のリニアガイド。
【請求項５】
各前記位置制限部材は、前記基部における前記取付溝の２つの末端に隣接する箇所にそれぞれ１組の係止留め具が形成され、
各前記突き当て部材は、それぞれ前記嵌合柱の対向する２つの末端面から一体的に延在形成される２つの係合柱を更に含み、
各前記突き当て部材の前記２つの係合柱は、それぞれ対応する前記位置制限部材の２組の前記係止留め具に挟持されることを特徴とする請求項２に記載のリニアガイド。
【請求項６】
各前記位置制限部材の断面は、ほぼＶ形を呈し、
各前記保持器は、２つの防塵バーを更に含み、
各前記保持器において、前記２つの防塵バーは、前記位置制限部材のＶ形の外縁の末端箇所に設けられると共に、対応する前記ガイドレールの前記転動溝近傍の表面に緊密に当接することを特徴とする請求項１に記載のリニアガイド。
【請求項７】
取付溝が形成されている基部と、前記基部から一体的に延在され、それぞれ位置制限孔が形成されている２つの側翼部と、を含み、２つの前記位置制限孔のうち、一方の前記位置制限孔が、前記取付溝に比べて一側に向かってずれるように設けられ、他方の前記位置制限孔が、前記取付溝に比べて反対側の他側に向かってずれるように設けられる位置制限部材と、
一側の部位で前記基部の前記取付溝に嵌合される突き当て部材と、を含むことを特徴とするリニアガイドの保持器。
【考案の詳細な説明】
【技術分野】
【０００１】
本考案は、スライドレールに関し、特にリニアガイド（ｌｉｎｅａｒ  ｇｕｉｄｅ）及びその保持器に関する。
【背景技術】
【０００２】
リニアガイドは、主としてガイドレールと、ガイドレール上に被せ合わされてスライドするスライダーと、を含む。また、スライダー上には、ガイドレールに対向する転動面と、スライドレールとスライダーとの間に介在される転動素子（チェーン式と非チェーン式の二種類の形式に分けられる）と、転動素子を無限に循環させることが可能な循環モジュールと、スライダーの両端に取付けられる２つのエンドキャップと、が設けられている。転動素子は、保持器によってスライダーに対する位置を維持することができる。従って、保持器の構成によって如何に効率よく転動素子を位置決めするかが、リニアガイドの安定性向上に関する研究課題の一つとなっている。
【考案の概要】
【考案が解決しようとする課題】
【０００３】
本考案は、保持器に２つの循環ケーシング管を効率よく同時に位置決めさせることが可能な構成としたリニアガイド及びその保持器を提供することを課題とする。
【課題を解決するための手段】
【０００４】
本考案に係るリニアガイドは、対向する両側にそれぞれ転動溝が形成されているガイドレールと、ガイドレール上にスライド可能に被せられる組合せ溝が凹設され、組合せ溝の対向する両側部位のそれぞれに、貫通する２つの収容通路が形成されているスライダーと、スライダーの対向する両側部位にそれぞれ装着される２つの循環モジュールであって、隣接する２つの収容通路内に穿設されると共に、それぞれ少なくとも一部がスライダーの外に突出する２つの循環ケーシング管と、それぞれ２つの循環ケーシング管内に装着されると共に、２つの循環ケーシング管以外の部位に位置する部分がガイドレールとスライダーとの間に転動可能に挟まれる２つの転動ユニットと、をそれぞれ含む２つの循環モジュールと、それぞれガイドレールの対向する両側に位置すると共にスライダーに設けられ、それぞれが２つの循環モジュールにおけるガイドレールに対する位置を位置決めすると共に保持する２つの保持器であって、基部、及び当該基部から一体的に延在されそれぞれ位置制限孔が形成されている２つの側翼部を含み、位置決めされる循環モジュールにおいて、２つの循環ケーシング管が２つの側翼部の位置制限孔に位置決めされ、２つの転動ユニットが２つの循環ケーシング管以外の部位に位置する部分がそれぞれ２つの側翼部の位置制限孔に転動可能に穿設される位置制限部材と、対向する両側部位がそれぞれ位置制限部材の基部及びスライダーに嵌合される突き当て部材とをそれぞれ含む２つの保持器と、それぞれスライダーに装着されると共にガイドレール上にスライド可能に被せられ、２つの循環モジュールにおけるスライダーの外に突出した循環ケーシング管の部位を覆う２つのエンドキャップモジュールと、を含む。
【０００５】
本考案に係るリニアガイドの保持器は、取付溝が形成されている基部と、当該基部から一体的に延在され、それぞれ位置制限孔が形成されている２つの側翼部と、を含み、２つの位置制限孔のうち、一方の位置制限孔が、取付溝に比べて一側に向かってずれるように設けられ、他方の位置制限孔が、取付溝に比べて反対側の他側に向かってずれるように設けられる位置制限部材と、一側の部位で前記基部の取付溝に嵌合される突き当て部材と、を含む。
【考案の効果】
【０００６】
本考案に係るリニアガイド及びその保持器は、位置制限部材に位置制限孔が設けられ、突き当て部材が位置制限部材及びスライダーに嵌合可能となる構成としたことによって、保持器に２つの循環ケーシング管を効率よく同時に位置決めさせることが可能である。
【図面の簡単な説明】
【０００７】
【図１】本考案に係るリニアガイドの立体斜視図である。
【図１Ａ】図１のＡ−Ａ線に沿った断面図である。
【図１Ｂ】図１のＢ−Ｂ線に沿った断面図である。
【図２】本考案に係るリニアガイドの分解図である。
【図３】本考案に係るリニアガイドにおいてエンドキャップモジュールを含まない場合の分解図である。
【図４】本考案に係るリニアガイドのスライダーを示した図である。
【図５】本考案に係るリニアガイドの一組の循環モジュール及び保持器を示した図である。
【図６】図５の一組の循環モジュール及び保持器を他の視点から見た図である。
【図７】本考案に係るリニアガイドの循環ケーシング管及びスペーサーの分解図である。
【図８】本考案に係るリニアガイドの一組の循環モジュールがスライダーに装着された場合の局部断面図である。
【図９】本考案に係るリニアガイドの一組の循環モジュール及び保持器がスライダーに装着された場合の局部断面図である。
【図１０】本考案に係るリニアガイドのエンドキャップモジュールの分解図である。
【図１１】図１０のエンドキャップモジュールを他の視点から見た分解図である。
【図１２】本考案に係るリニアガイドのエンドキャップモジュールを示した図である。
【考案を実施するための形態】
【０００８】
本考案の特徴及び技術内容をより深く理解することができるように、以下、本考案について図面を参照しながら詳細に説明する。但し、これら図面は本考案の参考と説明のために提供するものに過ぎず、本考案について何ら制限するものではない。
【実施例】
【０００９】
図１及び図２に示すように、本考案の１つの実施例において、リニアガイド１００は、ガイドレール１と、スライダー２と、２つの循環モジュール３と、２つの保持器４と、２つのエンドキャップモジュール５と、を含む。２つの循環モジュール３は、スライダー２に穿設される。２つの保持器４は、それぞれ２つの循環モジュール３に設けられる。２つのエンドキャップモジュール５は、スライダー２の対向する２つの取付端面２３（図２におけるスライダー２の前端面及び後端面を参照）に固定される。また、上述したスライダー２、循環モジュール３、保持器４及びエンドキャップモジュール５は、ガイドレール１にスライド可能に装着されると共に、ガイドレール１に対してほぼ対称である。
【００１０】
図３に示すように、ガイドレール１はバー状を呈すると共に、ガイドレール１の長手方向がスライド方向Ｓである。ガイドレール１は、その長手方向に対して垂直な断面がほぼＩ字形を呈する。具体的には、ガイドレール１の対向する両側面（図２におけるガイドレール１の左側面及び右側面を参照）のそれぞれに、上述したスライド方向Ｓに対して平行なバー状の転動溝１１が凹設して形成されている。転動溝１１の両側に接続される表面は、当接面１２として構成される。各転動溝１１は、底壁１１１及び２つの荷重側壁１１２を有する。２つの荷重側壁１１２は、それぞれ底壁１１１の対向する両側縁（図２における底壁１１１の頂縁及び底縁を参照）に接続される。
【００１１】
図３及び図４に示すように、スライダー２は、ほぼ長形を呈すると共に、長さがガイドレール１の長さよりも短い。スライダー２には、組合せ溝２１が凹設されている。即ち、スライダー２は、その長手方向に対して垂直な断面がほぼ逆Ｕ字形を呈すると共に、その組合せ溝２１を介してガイドレール１上にスライド可能に被せられる。スライダー２の長手方向は、ガイドレール１の長手方向（即ち、スライド方向Ｓ）に対して平行である。組合せ溝２１の２つの内側縁とガイドレール１の対向する両側面との間には、循環モジュール３の一部及び保持器４の一部を収容するための間隔（図１Ａを参照）が形成されている。
【００１２】
スライダー２がガイドレール１に対してほぼ対称な構造であるため、以下、スライダー２の片側の部位について説明する。更に詳述すると、組合せ溝２１の任意の内側縁について言えば、組合せ溝２１の内側縁には、長手方向に沿って位置決め溝２１１、２つの側部位置決め溝２１２及び２つの搭載壁２１３が形成されている。
【００１３】
位置決め溝２１１と２つの側部位置決め溝２１２との間には、それぞれ上述した２つの搭載壁２１３が設けられている。スライダー２をスライド方向Ｓに対して垂直な任意の断面で見た場合（図１Ａを参照）、２つの搭載壁２１３の垂直二等分線は、位置決め溝２１１におけるガイドレール１から離れた位置においてほぼ垂直に交わる。換言すれば、位置決め溝２１１と上述した２つの搭載壁２１３とが転動溝１１に対応すると共に、位置決め溝２１１と転動溝１１の底壁１１１とが互いに向かい合い、２つの搭載壁２１３のそれぞれと転動溝１１の２つの荷重側壁１１２とが互いに向かい合う。
【００１４】
更に、スライダー２の各搭載壁２１３から特定の距離だけ離れた箇所には、その長手方向に沿って貫通する収容通路２２が形成されている。更に詳述すると、スライダー２をスライド方向Ｓに対して垂直な断面で見た場合、各搭載壁２１３の垂直二等分線は対応する収容通路２２のほぼ中心を通過する。
【００１５】
図３に示すように、２つの循環モジュール３は、それぞれスライダー２の対向する両側部位（図３におけるスライダー２の左内側縁及び右内側縁を参照）に装着される。２つの循環モジュール３は同一の構造であるため、以下、１つの循環モジュール３及びそれに対応する他の素子構造についてのみ説明し、次いで循環モジュール３がスライダー２に装着される状況について説明する。
【００１６】
図５及び図６に示すように、循環モジュール３は、２つの循環ケーシング管３１、２つのスペーサー３２及び２つの転動ユニット３３を有する。本実施例において、各循環ケーシング管３１は、複数の板体から組み立てられて成る構造であるが、説明の便宜上、以下、各循環ケーシング管３１を１つの全体と見做して説明する。本実施例において、上述した各転動ユニット３３は、チェーンベルト式ローラーを例とするが、転動ユニット３３は非チェーン形式又はボール形式であってもよく、制限されない。
【００１７】
更に詳述すると、図７に示すように、各循環ケーシング管３１は、直進部３１１及び直進部３１１の対向する両端から延在されたほぼＵ字形を呈する２つの方向転換部３１２に分けられる。直進部３１１の長さは、収容通路２２の長さよりもやや長い。また、２つの方向転換部３１２は、その末端が互いに向かい合うと共に両者の間の距離が収容通路２２の長さよりもやや短い。２つの方向転換部３１２のうちの１つの方向転換部３１２における直進部３１１に隣接する箇所には、充填口３１３が形成されている。上述したスペーサー３２は、弧形を呈すると共に充填口３１３を遮蔽するように循環ケーシング管３１に装着される。これにより、循環ケーシング管３１及びそれに対応するスペーサー３２が共同で転動経路を包囲形成すると共に、転動経路が２つの方向転換部３１２の末端を介してのみ外部に連通される。
【００１８】
更に、図８に示すように、循環モジュール３の２つの循環ケーシング管３１は、それぞれ直進部３１１を介して、隣接する２つの収容通路２２内に穿設されることにより、直進部３１１の外縁の階段構造を介して円滑に且つしっかりと収容通路２２内に装着される。また、各循環ケーシング管３１の２つの方向転換部３１２の末端が、各循環ケーシング管３１が取付けられる収容通路２２に対応する搭載壁２１３に位置する。各直進部３１１における充填口３１３に隣接する部位は、スライダー２の外に突出すると共に露出される。また、充填口３１３が形成されている方向転換部３１２は、当該方向転換部３１２に隣接するが、充填口３１３が形成されていない他の方向転換部３１２の外側に位置する。
【００１９】
換言すれば、スライダー２の一端から見た場合、２つの循環ケーシング管３１のうちの一方の循環ケーシング管３１における充填口３１３が形成されている方向転換部３１２は、他方の循環ケーシング管３１における充填口３１３が形成されていない方向転換部３１２の外側に位置する。即ち、各循環モジュール３の２つの循環ケーシング管３１は、交差すると共に交錯配列するようにスライダー２に装着される。
【００２０】
転動ユニット３３は、充填口３１３を経由して循環ケーシング管３１内に装填されると共に、２つの方向転換部３１２のうちの一方の方向転換部３１２の末端を経由して貫通し、次いで搭載壁２１３に沿って他の方向転換部３１２の末端に進入し、最後に充填口３１３の箇所に戻る。これにより、完全に循環するループが形成される。転動ユニット３３の装填が完了した後、上述したスペーサー３２が循環ケーシング管３１上に装着されることにより、転動ユニット３３は、スライダー２の外に露出しないように方向転換部３１２及びスペーサー３２によって遮蔽される。即ち、転動ユニット３３は、循環ケーシング管３１とスペーサー３２の内縁におけるレール構造及びそれに対応する搭載壁２１３上において循環するように移動することができる。
【００２１】
更に説明すべきことは、各循環モジュール３の２つの循環ケーシング管３１における、スライダー２から突き出ると共にスライダー２と互いに隣接する部位に、それぞれ導油口３１４が形成されていることである。また、導油口３１４は、潤滑油を内部に送ることができるように、循環ケーシング管３１における転動ユニット３３を収容する空間内に連通される。
【００２２】
図１Ａ及び図２に示すように、２つの保持器４は、それぞれ上述した組合せ溝２１の２つの内側縁とガイドレール１の対向する両側面との間に挟持されると共に、それぞれ上述した２つの循環モジュール３におけるガイドレール１に対する位置を位置決めすると共に保持する。２つの保持器４は同一の構造であると共に装着される位置も上述したガイドレール１に対して対称であるため、以下、１つの保持器４及びそれに対応する他の素子についてのみ説明し、次いで保持器４がスライダー２に装着される状況について説明する。
【００２３】
図５及び図６に示すように、保持器４は、長形を呈すると共に、長さがスライダー２の長さよりも長い。保持器４は、位置制限部材４１、突き当て部材４２及び２つの防塵バー４３を有する。位置制限部材４１は、一体成形の構造であると共に、その長手方向に対して垂直な断面がほぼＶ字状を呈する。位置制限部材４１のＶ形の外縁は、ほぼ平面状を呈する。
【００２４】
更に詳述すると、位置制限部材４１は、バー状の基部４１１及び２つの側翼部４１２を含む。２つの側翼部４１２は、それぞれ基部４１１の対向する２つの長側縁から傾斜して互いに離れる方向に向かって（図５における基部４１１の左上方及び左下方を参照）延在するように形成される。基部４１１は、ほぼ中央の部位においてその長手方向に沿って条状の取付溝４１１１が形成されていると共に、取付溝４１１１の２つの末端に隣接する箇所にそれぞれ１組の係止留め具４１１２が形成されている。
【００２５】
更に、上述した２つの側翼部４１２には、それぞれその長手方向に沿って長形の位置制限孔４１２１が形成されている。また、２つの位置制限孔４１２１のうち、一方の位置制限孔４１２１は、取付溝４１１１に比べて一側に向かって（例えば、図５における上方に位置する位置制限孔４１２１は、取付溝４１１１の右側に向かって）ずれるように設けられ、他方の位置制限孔４１２１は、取付溝４１１１に比べて反対側の他側に向かって（例えば、図５における下方に位置する位置制限孔４１２１は、取付溝４１１１の左側に向かって）ずれるように設けられる。
【００２６】
換言すれば、各位置制限孔４１２１は、２つの長側壁４１２３と２つの弧形壁４１２２とによって包囲される。また、２つの長側壁４１２３には互いに向かい合う方向にそれぞれバー状の位置制限柱４１２４が延在するように形成されている。各側翼部４１２の２つの位置制限柱４１２４の末端面同士の距離は、隣接する弧形壁４１２２の部位の距離よりも短い。更に、２つの側翼部４１２における基部４１１から離れた位置には、それぞれ取付バー４１２５が設けられている。取付バー４１２５は、幾何学的に側部位置決め溝２１２と互いに嵌合することができる。
【００２７】
上述した突き当て部材４２は、嵌合柱４２１及び２つの係合柱４２２を含む。嵌合柱４２１は、その長手方向に対して垂直な断面がほぼ六角形を呈すると共に、嵌合柱４２１の対向する両側部位（図５における嵌合柱４２１の前側及び後側を参照）が幾何学的にそれぞれ位置決め溝２１１及び取付溝４１１１に嵌合することができる。２つの係合柱４２２は、円柱であると共にそれぞれ嵌合柱４２１の対向する２つの末端面（図５における嵌合柱４２１の左端面及び右端面を参照）から一体的に延在するように形成される。
【００２８】
更に、突き当て部材４２は、嵌合柱４２１の一側の部位で位置制限部材４１の取付溝４１１１に嵌合される。２つの係合柱４２２は、それぞれ上述した２組の係止留め具４１１２に挟持される。２つの長形の防塵バー４３は、２つの側翼部４１２の基部４１１から離れた位置に装着（例えば、接着など）されると共に、ほぼ取付バー４１２５とは反対側に位置する。即ち、２つの長形の防塵バー４３は、位置制限部材４１のＶ形の外縁の末端箇所に装着される。
【００２９】
図１Ａ及び図９に加え、適時図５及び図６を参照しながら、以下、保持器４と各素子との組み合わせ関係を大まかに説明する。保持器４とスライダー２との組み合わせにおいては、突き当て部材４２の嵌合柱４２１がスライダー２の位置決め溝２１１に嵌合されると共に、２つの側翼部４１２の取付バー４１２５がそれぞれスライダー２の側部位置決め溝２１２に嵌合される。保持器４と循環モジュール３との組み合わせにおいては、循環モジュール３の２つの循環ケーシング管３１がそれぞれ位置制限部材４１の２つの位置制限孔４１２１に位置制限される。更に言えば、各循環ケーシング管３１の２つの方向転換部３１２の末端のそれぞれが、それに対応する位置制限孔４１２１の２つの弧形壁４１２２及び弧形壁４１２２に隣接する位置制限柱４１２４の末端面に係止固定され、各搭載壁２１３上に位置する転動ユニット３３が、対応する位置制限孔４１２１を貫通する。保持器４とガイドレール１との組み合わせにおいては、位置制限部材４１のＶ形の外縁とガイドレール１の転動溝１１との間に間隙が確保されると共に、２つの防塵バー４３がそれぞれ転動溝１１近傍の２つの当接面１２に緊密に当接する。
【００３０】
図２に示すように、２つのエンドキャップモジュール５は、それぞれスライダー２の２つの取付端面２３に装着されると共に、ガイドレール１上にスライド可能に被せられる。２つのエンドキャップモジュール５は、上述した２つの循環モジュール３におけるスライダー２の外に露出される循環ケーシング管３１の部位及びスペーサー３２を覆う。また、スライダー２の外に位置する各転動ユニット３３の部位が、対応する循環ケーシング管３１及びスペーサー３２によって隔離され、それぞれ上述した２つのエンドキャップモジュール５と間隔を置いて設けられる。即ち、転動ユニット３３は、エンドキャップモジュール５と互いに当接し合っていない。
【００３１】
２つのエンドキャップモジュール５は同一の構造であると共に装着される位置も上述したスライダー２に対して対称であるため、以下、１つのエンドキャップモジュール５及びそれに対応する他の素子構造についてのみ説明し、次いでエンドキャップモジュール５がスライダー２及びガイドレール１に装着される状況について説明する。
【００３２】
図１０及び図１１に示すように、エンドキャップモジュール５は、蓋体５１及び防塵部材５２を有する。蓋体５１は、非可撓性の構造であると共に硬質材料（例えば、金属など）からなる。防塵部材５２は、可撓性の構造であると共に軟質材料（例えば、ゴムなど）からなる。蓋体５１及び防塵部材５２は、それぞれ単一ユニットの構造である。
【００３３】
蓋体５１は、ガイドレール１に組み合わされる逆Ｕ字形の構造である。即ち、蓋体５１には、レール口５１１が形成されている。レール口５１１の輪郭は、ガイドレール１の断面形状にほぼ対応すると共に、ガイドレール１の断面形状よりもやや大きい。蓋体５１は、外端面５１２、内端面５１３及び周囲側面５１４を有する。外端面５１２及び内端面５１３は、蓋体５１の対向する両端に位置する。周囲側面５１４は、外端面５１２と内端面５１３との間に接続される。更に、蓋体５１には、外端面５１２から貫通する注油孔５１５が形成されている。また、周囲側面５１４には、貫通する２つの側面注油孔５１６が形成されている。蓋体５１には、内端面５１３から収容溝５１７が凹設して形成されている。
【００３４】
防塵部材５２には、油路ブロック５２１及び油路ブロック５２１の端縁から一体的に延在形成された防塵板５２２が形成されている。油路ブロック５２１には、導油経路５２１１が凹設して形成されている。防塵板５２２には、塵除け５２２１が形成されている。塵除け５２２１の輪郭は、幾何学的にガイドレール１と緊密に組み合わされて互いに接続される。更に詳述すると、上述した導油経路５２１１には、３つの給油口５２１２及び２つの排油口５２１３が形成されている。また、導油経路５２１１は、油路ブロック５２１における防塵板５２２から離れた表面に凹設して形成される。油路ブロック５２１の表面における導油経路５２１１の周縁には、導油経路５２１１をほぼ囲繞する突縁５２３が突出して設けられている。
【００３５】
図１２に加え、適時図１０及び図１１を参照して説明する。上述した防塵部材５２は、蓋体５１の収容溝５１７内に装着（例えば、嵌合など）される。油路ブロック５２１における防塵板５２２から離れた表面は、蓋体５１の内端面５１３とほぼ面一である。突縁５２３は、上述した内端面５１３からやや突出する。導油経路５２１１の給油口５２１２は、それぞれ上述した注油孔５１５及び側面注油孔５１６に連通される。また、注油孔５１５には、ノズル（図示せず）が装着されている。２つの側面注油孔５１６のそれぞれには、止めネジ（図示せず）が装着されている。
【００３６】
更に、防塵板５２２の塵除け５２２１は、蓋体５１のレール口５１１に設けられている。防塵板５２２と蓋体５１とで収容空間５３が包囲形成されている。更に言えば、収容空間５３は、蓋体５１の収容溝５１７において防塵部材５２が設けられていない領域に相当する。
【００３７】
図１Ｂ、図２及び図１２に示すように、エンドキャップモジュール５がスライダー２の取付端面２３に装着された場合、循環モジュール３におけるスライダー２の外に露出される循環ケーシング管３１の部位とスペーサー３２とが上述した収容空間５３内に収容されると共に、スペーサー３２及びスペーサー３２が装着されている循環ケーシング管３１の方向転換部３１２が防塵板５２２にほぼ当接する。更に、各保持器４の位置制限部材４１におけるスライダー２から突出した部位の末端が、防塵板５２２に緊密に当接する。防塵部材５２の油路ブロック５２１の突縁５２３は、スライダー２の取付端面２３に間隙なく緊密に当接する。また、導油経路５２１１の各排油口５２１３は、各循環モジュール３におけるスライダー２の取付端面２３の外に位置する導油口３１４にそれぞれ接続される。換言すれば、導油経路５２１１は蓋体５１の注油孔５１５と側面注油孔５１６及びそれに隣接するそれらの導油口３１４との間に位置することによって、蓋体５１の注油孔５１５と側面注油孔５１６及びそれに隣接するそれらの導油口３１４とが、防塵部材５２の導油経路５２１１を経由して互いに連通される。
【００３８】
上記は本考案の好ましい実施例に過ぎず、本考案の実用新案登録請求の範囲を限定するものではない。従って、本考案の実用新案登録請求の範囲に基づいて為された均等な変更及び修正は、すべて本考案の範囲に含まれる。
【符号の説明】
【００３９】
１００    リニアガイド
１    ガイドレール
１１    転動溝
１１１    底壁
１１２    荷重側壁
１２    当接面
２    スライダー
２１    組合せ溝
２１１    位置決め溝
２１２    側部位置決め溝
２１３    搭載壁
２２    収容通路
２３    取付端面
３    循環モジュール
３１    循環ケーシング管
３１１    直進部
３１２    方向転換部
３１３    充填口
３１４    導油口
３２    スペーサー
３３    転動ユニット
４    保持器
４１    位置制限部材
４１１    基部
４１１１    取付溝
４１１２    係止留め具
４１２    側翼部
４１２１    位置制限孔
４１２２    弧形壁
４１２３    長側壁
４１２４    位置制限柱
４１２５    取付バー
４２    突き当て部材
４２１    嵌合柱
４２２    係合柱
４３    防塵バー
５    エンドキャップモジュール
５１    蓋体
５１１    レール口
５１２    外端面
５１３    内端面
５１４    周囲側面
５１５    注油孔
５１６    側面注油孔
５１７    収容溝
５２    防塵部材
５２１    油路ブロック
５２１１    導油経路
５２１２    給油口
５２１３    排油口
５２２    防塵板
５２２１    塵除け
５２３    突縁
５３    収容空間
Ｓ    スライド方向
【図１】
0003188146.tif 000003
【図１Ａ】
0003188146.tif 000004
【図１Ｂ】
0003188146.tif 000005
【図２】
0003188146.tif 000006
【図３】
0003188146.tif 000007
【図４】
0003188146.tif 000008
【図５】
0003188146.tif 000009
【図６】
0003188146.tif 000010
【図７】
0003188146.tif 000011
【図８】
0003188146.tif 000012
【図９】
0003188146.tif 000013
【図１０】
0003188146.tif 000014
【図１１】
0003188146.tif 000015
【図１２】
0003188146.tif 000016